(57)【特許請求の範囲】
【請求項１】
ディスプレイユニット、
前記ディスプレイユニットを囲むプラスチックフレーム、
前記プラスチックフレームを覆うベゼル、および
前記プラスチックフレームと前記ベゼルの間を接続する弾力性シーラントを含み、
前記ベゼルおよび前記プラスチックフレームの少なくとも１つが表面組織を含み、前記表面組織は、前記べゼルの表面から前記プラスチックフレームへ延伸する山の背状構造を有する突起、または、前記プラスチックフレームの表面から前記ベゼルへ延伸する山の背状構造を有する突起を含み、該表面組織が前記シーラントを押圧して前記ベゼルと前記プラスチックフレーム間の密封を形成し、ホコリの浸入に対する障壁を提供する液晶ディスプレイモジュール。
【請求項２】
前記ディスプレイユニットに接続され、前記ベゼルに設置されたタッチパネルを更に含み、間隙が前記タッチパネルと前記ディスプレイユニットの間に定義され、前記弾力性シーラントが前記間隙の中に浸入するホコリに対する障壁を提供する請求項１に記載のモジュール。
【請求項３】
前記突起は、前記プラスチックフレームの表面から延伸し、前記プレスチックフレームと一体成型である請求項１に記載のモジュール。
【発明の詳細な説明】
【技術分野】
【０００１】
本発明は、液晶ディスプレイモジュールを含む画像表示システムに関し、特に、ホコリの侵入を防ぐ液晶ディスプレイモジュールに関するものである。
【背景技術】
【０００２】
図１を参照下さい。従来のタッチパネル型液晶ディスプレイモジュールは主に、プラスチックフレーム１０、ベゼル２０、後部遮蔽板３０、タッチパネル４０、弾力性シーラントＲ、ディスプレイユニット５０と、バックライトユニット６０を含み、プラスチックフレーム１０は、ディスプレイユニット５０とバックライトユニット６０を囲む。図１に示すように、プラスチックフレーム１０、ディスプレイユニット５０と、バックライトユニット６０は、ベゼル２０と後部遮蔽板３０によって囲まれる。タッチパネル４０は、ベゼル２０に接着され、ディスプレイユニット５０上に位置される。タッチパネル４０は、ユーザーインターフェースであり、例えば、キーボードの使用の代わりに、或いはキーボードの使用に加えてタッチパネルのタッチ面に単にタッチすることで、ユーザーにディスプレイモジュールとインターフェースをとらせ、且つ／またはコンピュータデバイスがそこに動作可能に接続されるようにさせる。
【０００３】
ホコリがタッチパネル４０とディスプレイユニット５０間の間隙に侵入しないように防ぐことが好ましい。ホコリは画像品質を劣化し、ディスプレイユニット５０及び／またはタッチパネル４０にダメージを及ぼす可能性がある。ホコリの侵入を防ぐために、接着テープ、スポンジ、またはゴムなどの弾力性シーラントＲがベゼル２０とプラスチックフレーム１０の平面１０１の間に設置される。弾力性シーラントＲは、ベゼル２０の下方でフレーム１０からディスプレイユニット５０に延伸される。組み立ての間、弾力性シーラントＲは、プラスチックフレーム１０とベゼル２０によって圧縮されて変形され、密封を形成し、ベゼル２０と後部遮蔽板３０間の間隙を通じてディスプレイユニット５０とタッチパネル４０間の間隙に外側からホコリが侵入しないように防ぐ。両面接着テープがシーラントＲとして用いられる時、テープは、ディスプレイモジュールの部品を解体することを困難にし、ベゼルが取り外される時、パネル４０にダメージを与える可能性がある。非接着タイプのシーラントＲ（ｅ.ｇ．， スポンジまたはゴム）が用いられる時、部品の解体と再組み立てを比較的容易にするが、ベゼルとプラスチックフレームに沿ったその間のシーラントＲの良好な密封を形成するために、フレーム１０とベゼル２０間の良好な密封度を必要とする。しかし、良好な密封度は、高い許容差を要する部品間の大きな干渉量を必要とする。よって、ベゼルとプラスチックフレームに沿ったその間の必要な許容差を得ることが常に求められているが、ベゼルがプレス成型の金属薄板フレームからなり、薄板のベゼルの縦断面に沿って部分的な屈曲と変形を本質的に有することから、ベゼルとプラスチックフレームの縦断面に沿ったその間の密封間隙に変化を招く。このような密封間隙の変化は、シーラントの周りに大きな開口を生じさせ、ホコリをディスプレイユニット５０とタッチパネル４０間の間隙に侵入させる。
【０００４】
改善されたダストシールを提供する構造が必要である。
【発明の開示】
【発明が解決しようとする課題】
【０００５】
本発明は、ベゼルとプラスチックフレーム間の密封インターフェースの表面組織（ｅ.ｇ．リッジ構造または縦断面）を提供し、ベゼルとプラスチックフレームに沿ったその間の密封の改善を促進する。
【課題を解決するための手段】
【０００６】
表面組織は、フレキシブルガスケット、またはシーラントが配置されて密封が形成されるその間の少なくとも１つの接面に提供される。１つの実施例では、表面組織は、プラスチックフレームに提供される。表面組織は、ベゼルとプラスチックフレームに沿ったその間の密封間隙の変化を収容する方法で弾力性シーラントと相互作用をする。表面組織は、ベゼルとプラスチックフレームに沿ったその間の密封間隙の変化によってほぼ同じ程度、弾力性シーラントＲの中にくい込み、突き進み、または偏向する。よって、ホコリなどの外部環境に対する、一貫した障壁を提供する。
【０００７】
添付図面を参照に、詳細を下記の実施例に述べる。画像表示の詳細が提供される。システムの実施例は、液晶ディスプレイモジュールがその中に組み込まれた液晶ディスプレイ装置を含む。フラットディスプレイモジュールは、主に、ディスプレイユニット、プラスチックフレーム、ベゼルと、プラスチックフレームとベゼルの間に設置された弾力性シーラントを含む。プラスチックフレームは、ディスプレイユニットを囲み、突起を有する。組み立ての間、突起は、弾力性シーラントの中にはめ込まれ、プラスチックフレームとベゼル間の間隙を密封する。よって、ディスプレイユニットへのホコリの浸入を防ぐ。
【発明の効果】
【０００８】
本発明のホコリの侵入を防ぐ液晶ディスプレイモジュールの画像表示システムによれば、突起が弾力性シーラントの中にはめ込まれ、プラスチックフレームとベゼル間の間隙を密封することで、ディスプレイユニットへのホコリの浸入を防ぐことができ、画像品質を保持し、ダメージを防ぐことができる。
【発明を実施するための最良の形態】
【０００９】
本発明についての目的、特徴、長所が一層明確に理解されるよう、以下に実施形態を例示し、図面を参照にしながら、詳細に説明する。
【実施例】
【００１０】
図２と図３を参照すると、画像表示システムの液晶ディスプレイモジュール１００の実施例は主に、プラスチックフレーム１０、ベゼル２０、後部遮蔽板３０、タッチパネル４０、弾力性シーラントＲ、ディスプレイユニット５０と、バックライトユニット６０を含み、プラスチックフレーム１０は、ディスプレイユニット５０とバックライトユニット６０を囲む。図３に示すように、プラスチックフレーム１０、ディスプレイユニット５０と、バックライトユニット６０は、ベゼル２０と後部遮蔽板３０によって囲まれる。タッチパネル４０は、ベゼル２０に接着され、ディスプレイユニット５０上に設置される。例えば、接着／非接着テープ、スポンジ、またはゴムなどの弾力性シーラントＲがベゼル２０とプラスチックフレーム１０の平面１０１の間に配置され、ディスプレイユニット５０へのホコリの侵入を防ぐ。組み立ての間、弾性シーラントＲは、プラスチックフレーム１０とベゼル２０によって圧縮されて変形される。
【００１１】
図３と図４Ａに示すように、例えば、縦方向突起１０２の表面組織がベゼル２０とプラスチックフレーム１０の表面１０１間の密封インターフェースに提供され、ベゼルとプラスチックフレームに沿ったその間の密封の改善を促進する。表面組織は、フレキシブルガスケット、またはシーラントが配置される間の接面（ｉ.ｅ．ベゼル２０とプラスチックフレーム１０の表面１０１）の少なくとも１つに提供され、密封を形成する。図示された実施例では、表面組織は、プラスチックフレームに提供されるが、ベゼルの下側に提供されることもできる。
【００１２】
突起１０２は、ベゼルとプラスチックフレームに沿ったその間の密封間隙の変化を収容する方法で弾力性シーラントＲと接触する。突起１０２は、ベゼル２０とプラスチックフレーム１０に沿ったその間の密封間隙の変化によって、ほぼ同じ程度、ベゼル２０とフレーム１０の縦断面に沿って、弾力性シーラントＲの中にくい込み、突き進みまたは偏向する。縦軸方向のベゼル２０とプラスチックフレーム１０の部分に沿った、異なる位置では、間隙のサイズが図４Ａ、４Ｂと、４Ｃに示すように変わることができる。仮に、ベゼル２０と表面１０１間の間隙が小さい（ｅ.ｇ．間隙がシーラントＲの厚さより小さく、シーラントＲが図４Ｂに示すように圧縮される）場合、突起１０２は、弾力性シーラントＲの中に突き進む。間隙が大きい（ｅ.ｇ．間隙がシーラントＲの厚さより大きく、シーラントＲが図４Ｃに示すように圧縮されず、シーラントＲと表面１０１の間に間隙が存在する）場合、突起１０２は、弾力性シーラントＲの中に深く突き進まないが、それでも突起１０２が弾力性シーラントＲの中に進むことから、密封が形成される。図４Ａに示すように、間隙がシーラントＲの厚さと同じ（ｉ.ｅ．，弾力性シーラントＲが圧縮状態になく、シーラントＲと表面１０１間に間隙が存在しない；図４Ｂに比べ、突起１０２の頂点がベゼル２０の内側ほど近くない）場合、突起１０２は、弾性シーラントＲと係合構造を提供し、密封を形成する。よって、ベゼル２０とプラスチックフレーム１０の表面１０１に沿ったその間の一貫した障壁が達成され、ホコリなどの外部環境に対する障壁を提供する。実質的にはシーラントＲの厚さは、ベゼル２０と表面１０１間の間隙を充填するのに十分ではないが、突起１０２の高さは、同じ程度の突起１０２の高さによって間隙を減少し、シーラントＲと表面１０１間に存在する可能性のある間隙を補正する。
【００１３】
図示された実施例では、突起１０２は、プラスチックフレーム１０の一体部分である。山の背状軸方向突起１０２の断面は、三角形をなしている。三角形突起１０２の高さは、シーラントＲの厚さより少なく、突起１０２がシーラントＲを完全に穿通して突出するのを防ぐ。突起１０２の高さは、シーラントＲの厚さの３０％〜９０％の間にあることができる。より高い突起１０２の高さは、ベゼル２０と表面１０１間の間隙の大きな変化を収容する。
【００１４】
いくつかの実施例では、突起１０２は、プラスチックフレーム１０とベゼル２０間の密封度の必要性によってディスプレイユニット５０の側の局部に設置される。また、突起１０２は、ディスプレイユニット５０を囲む、密閉型の帯状のものであることができ、よって、ディスプレイユニット５０が四方囲まれる。各種の断面形状が本発明の精神及び範囲を逸脱することなく、突起１０２に配置されるがことができる。例えば、突起１０２は、図４Ｄ〜４Ｇに示す断面の円形、正方形、三角形、楕円形、または台形であることができる。いくつかの実施例では、複数の突起１０２は、平面１０１のいくつかの領域に提供され、ベゼル２０とプラスチックフレーム１０間の局部の密封度を高める（ｅ.ｇ．同心構成で）。
【００１５】
縦軸方向の突起１０２の側のその他の形状の表面組織がベゼル２０とプラスチックフレーム１０の表面１０１間の密封インターフェースに提供されることができ、ベゼル２０とプラスチックフレーム１０に沿ったその間の密封の改善を促進する。例えば、１つの突起がベゼルの下側から伸び、もう１つの突起が表面１０１から伸びる、逆の突起（図示しない）が提供される。逆の突起は、距離によって水平方向（Ｘ軸方向）に補正されるため、シーラントＲが圧縮された時、逆の突起が接触しない。
【００１６】
図５は、画像表示のシステムを概略的に表している。システムは、ラップトップコンピュータ、携帯電話、デジタルカメラ、ＰＤＡ、デスクトップ型コンピュータ、テレビ、カーディスプレイ、またはポータブルＤＶＤプレーヤーなどの電子装置４００を含む。図５に示すように、ディスプレイ装置２００は、電子装置４００の中に組み込まれることができ、前述の図３の液晶モジュール１００は、液晶ディスプレイ装置２００の中に組み込まれることができる。電子装置４００は、液晶ディスプレイ装置２００に接続された制御器３００を更に含み、制御器３００は、液晶モジュール１００を制御し、画像データ入力に基づいて画像を表示する。
【００１７】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００１８】
【図１】従来の液晶ディスプレイモジュールの一端の断面図である。
【図２】本発明の１つの実施例に基づいた新しい密封構造を含む画像表示システムの液晶ディスプレイモジュールの平面図である。
【図３】図２のラインＣ−Ｃ’に沿った本発明の液晶ディスプレイモジュールの一端の断面図である。
【図４Ａ】図３の部分Ａの拡大図である。
【図４Ｂ】異なる密封の間隙の厚さが存在するベゼルの縦断面に沿った、異なる部分Ａの拡大図である。
【図４Ｃ】異なる間隙の厚さが存在するベゼルの縦断面に沿った、もう１つの部分Ａの拡大図である。
【図４Ｄ】突起が断面で円形をなしている図３の異なる部分Ａの拡大図である。
【図４Ｅ】突起が断面で正方形をなしている図３の異なる部分Ａの拡大図である。
【図４Ｆ】突起が断面で楕円形をなしている図３の異なる部分Ａの拡大図である。
【図４Ｇ】突起が断面で台形をなしている図３の異なる部分Ａの拡大図である。
【図５】画像表示のシステムの透視図である。
【符号の説明】
【００１９】
１０  プラスチックフレーム
２０  ベゼル
３０  後部遮蔽板
４０  タッチパネル
５０  ディスプレイユニット
６０  バックライトユニット
１００  液晶ディスプレイモジュール
１０１  表面
１０２  突起
２００  液晶ディスプレイ
３００  制御器
４００  電子装置
Ｒ  弾力性シーラント
【図１】
0005266565.tif 000002
【図２】
0005266565.tif 000003
【図３】
0005266565.tif 000004
【図４Ａ】
0005266565.tif 000005
【図４Ｂ】
0005266565.tif 000006
【図４Ｃ】
0005266565.tif 000007
【図４Ｄ】
0005266565.tif 000008
【図４Ｅ】
0005266565.tif 000009
【図４Ｆ】
0005266565.tif 000010
【図４Ｇ】
0005266565.tif 000011
【図５】
0005266565.tif 000012